(57)【要約】【課題】本発明は、収納管路用トラフの外周にワイヤーロープを巻くことなく、しかも作業が簡単で、外観上の美観も整然としていて好ましく、施工工事終了後に容易に蓋を開けることが出来ず、治安上も非常に好ましく、しかも施工が簡単に行える収納管路の施工用トラフを提供することを目的とするものである。【解決手段】本発明による収納管路の施工用トラフ、すなわちセキュリティトラフは、断面略凹状をなすトラフ本体と、該トラフ本体の上面開口を塞ぐ蓋部材とを備え、前記トラフ本体の両側壁の外表面は出っ張りのないフラット面として構成され、前記両側壁の上方内側面に膨出する膨出部を形成し、該膨出部上端面を内側に向かって下り段差となる段差部に形成し、該段差部を前記蓋部材の取り付け載置部としたことを特徴とする。【選択図】  図１
2019186998.tif 000002
【特許請求の範囲】
【請求項１】
断面略凹状をなすトラフ本体と、該トラフ本体の上面開口を塞ぐ蓋部材とを備え、
前記トラフ本体の両側壁の外表面は出っ張りのないフラット面として構成され、前記両側壁の上方内側面に膨出する膨出部を形成し、該膨出部上端面を内側に向かって下り段差となる段差部に形成し、該段差部を前記蓋部材の取り付け載置部とした、
ことを特徴とするセキュリティトラフ。
【請求項２】
断面略凹状をなすトラフ本体と、該トラフ本体の上面開口を塞ぐ蓋部材とを備え、
前記トラフ本体の両側壁の外表面は出っ張りのないフラット面として構成され、前記両側壁の上方内側面に膨出する膨出部を形成し、該膨出部上端面を内側に向かって下り段差となる段差部に形成し、該段差部を前記蓋部材の取り付け載置部とすると共に、前記トラフ本体の底壁幅方向両端部と側壁との境部を厚肉部として構成し、前記蓋部材で塞いだトラフ本体における内部空間の形状を略円状に構成した、
ことを特徴とするセキュリティトラフ。
【請求項３】
前記膨出部は、側壁の下端から、側壁全体の長さの約６分の４の箇所から約６分の５の箇所に向けて、内側に向かい傾斜した上り傾斜面として構成され、前記約６分の５の箇所での上り傾斜面の先端部分から側壁の上端に向かって略垂直に延びる面として構成され、その厚みは前記側壁を構成する大部分の厚みの約２倍の厚みに構成した、
ことを特徴とする請求項１または請求項２記載のセキュリティトラフ。
【請求項４】
前記蓋部材が取り付けられたトラフ本体の内部空間は、四隅部内側が厚肉に形成されて断面略円状に形成され、該内部空間に収納される丸棒状ケーブルの収納スペースを縮小することなくトラフ本体の耐久性を向上させた、
ことを特徴とする請求項１、請求項２または請求項３記載のセキュリティトラフ。
【請求項５】
前記載置部には、セラミック製のインサートが埋設され、載置部に載置される蓋部材には、前記インサートに対応する箇所に連結孔が設けられ、該連結孔は、蓋部材の上面に円盤状に切削された操作溝と、該操作溝の中心部からは蓋部材の下面に向かい徐々に拡開して蓋部材を貫通し、前記操作溝と連通する傾斜孔とを有して構成された、
ことを特徴とする請求項１、請求項２、請求項３または請求項４記載のセキュリティトラフ。
【発明の詳細な説明】
【技術分野】
【０００１】
本発明は、例えば、鉄道線路近傍位置等に設けられ、それら鉄道関連施設に使用される配線ケーブル群を収納する配線ケーブル収納用の収納管路の施工に使用される収納管路用トラフ、すなわちセキュリティトラフに関するものである。
【背景技術】
【０００２】
一般に鉄道関連施設等に使用される配線ケーブル群を収納する配線ケーブル収納用管路は、主に鉄道の線路脇等に設けられる。そして、敷設された収納管路及び該収納管路に使用される収納管路用トラフは、内部に重要な配線ケーブル等が収納されているため簡単に蓋が開けられないように形成しなければならない。
【０００３】
しかして従来は、その収納管路の外周をワイヤーロープ等で巻回する等して蓋を開けられないように工夫していた。
しかしながら、このような従来構成は、ワイヤーロープをいちいち巻き付ける作業が非常に作業手間になっていた。
また、ワイヤーロープを巻き付けた収納管路は外観上も雑然としており、外観の美観の面からもあまり好ましいものではなかった。
【０００４】
尚、トラフ本体に蓋を閉め、トラフ本体の幅方向横側から連結部材を差し込んで蓋を固定することも考えられるが、狭い場所において前記の様な施工をすることは作業性がきわめて悪い。特に溝を掘削し、該溝の中にトラフを収納する場合には、その作業が極めて困難である。
【先行技術文献】
【特許文献】
【０００５】
【特許文献１】特開２００２−３７４６１４号公報
【発明の概要】
【発明が解決しようとする課題】
【０００６】
かくして、本発明は上記の事情に鑑みてなされたものであり、前記のように収納管路用トラフの外周にワイヤーロープを巻くことなく、しかも作業が簡単で、外観上の美観も整然としていて好ましく、施工工事終了後に容易に蓋を開けることが出来ず、治安上も非常に好ましく、しかも施工が簡単に行える収納管路の施工用トラフを提供することを目的とするものである。
【課題を解決するための手段】
【０００７】
かくして本発明による収納管路の施工用トラフ、すなわちセキュリティトラフは、
断面略凹状をなすトラフ本体と、該トラフ本体の上面開口を塞ぐ蓋部材とを備え、
前記トラフ本体の両側壁の外表面は出っ張りのないフラット面として構成され、前記両側壁の上方内側面に膨出する膨出部を形成し、該膨出部上端面を内側に向かって下り段差となる段差部に形成し、該段差部を前記蓋部材の取り付け載置部とした、
ことを特徴とし、
または、
断面略凹状をなすトラフ本体と、該トラフ本体の上面開口を塞ぐ蓋部材とを備え、
前記トラフ本体の両側壁の外表面は出っ張りのないフラット面として構成され、前記両側壁の上方内側面に膨出する膨出部を形成し、該膨出部上端面を内側に向かって下り段差となる段差部に形成し、該段差部を前記蓋部材の取り付け載置部とすると共に、前記トラフ本体の底壁幅方向両端部と側壁との境部を厚肉部として構成し、前記蓋部材で塞いだトラフ本体における内部空間の形状を略円状に構成した、
ことを特徴とし、
または、
前記膨出部は、側壁の下端から、側壁全体の長さの約６分の４の箇所から約６分の５の箇所に向けて、内側に向かい傾斜した上り傾斜面として構成され、前記約6分の５の箇所での上り傾斜面の先端部分から側壁の上端に向かって略垂直に延びる面として構成され、その厚みは前記側壁を構成する大部分の厚みの約2倍の厚みに構成した、
ことを特徴とし、
または、
前記蓋部材が取り付けられたトラフ本体の内部空間は、四隅部内側が厚肉に形成されて断面略円状に形成され、該内部空間に収納される丸棒状ケーブルの収納スペースを縮小することなくトラフ本体の耐久性を向上させた、
ことを特徴とし、
または、
前記載置部には、セラミック製のインサートが埋設され、載置部に載置される蓋部材には、前記インサートに対応する箇所に連結孔が設けられ、該連結孔は、蓋部材の上面に円盤状に切削された操作溝と、該操作溝の中心部からは蓋部材の下面に向かい徐々に拡開して蓋部材を貫通し、前記操作溝と連通する傾斜孔とを有して構成された、
ことを特徴とするものである。
【発明の効果】
【０００８】
かくして本発明は以上の構成からなる。
そして本発明による収納管路用トラフ、すなわちセキュリティトラフであれば、収納管路用トラフの外周にワイヤーロープ等を巻くことなく、しかも閉蓋作業が簡単で、外観上の美観も好ましい収納管路を提供できる。
また、収納管路施工工事終了後には不特定人が容易に蓋を開けることが出来ず、治安上も非常に好ましい収納管路を提供できる。
そして、収納管路の中間等において、緊急に蓋を開蓋しなければならない事情があったとしても、収納管路及び蓋部材を損傷することなく、かつ比較的容易に所望箇所の蓋を開蓋することが出来、しかも施工がスムーズに行えるなど優れた効果を奏する。
【図面の簡単な説明】
【０００９】
【図１】本発明による第１実施例の構成を説明する説明図（その１）である。
【図２】本発明による第１実施例の構成を説明する説明図（その２）である。
【図３】本発明による第１実施例の構成を説明する説明図（その３）である。
【図４】本発明による第１実施例の構成を説明する説明図（その４）である。
【図５】本発明による第１実施例におけるトラフ本体の変形例を説明する説明図（その１）である。
【図６】本発明による第１実施例におけるトラフ本体の変形例を説明する説明図（その２）である。
【図７】本発明による第１実施例における蓋部材の構成を説明する説明図である。
【図８】本発明による第２実施例の構成を説明する説明図（その１）である。
【図９】本発明による第２実施例の構成を説明する説明図（その２）である。
【図１０】本発明による第２実施例の構成を説明する説明図（その３）である。
【図１１】本発明による第２実施例の構成を説明する説明図（その４）である。
【図１２】本発明による第２実施例におけるトラフ本体の変形例を説明する説明図（その１）である。
【図１３】本発明による第２実施例におけるトラフ本体の変形例を説明する説明図（その２）である。
【図１４】本発明による第２実施例における蓋部材の構成を説明する説明図である。
【発明を実施するための形態】
【００１０】
以下、本発明の好適な実施例を図に基づいて説明する。
図１乃至図７には、電力用、すなわち比較的ケーブルの径が大径のものを内部に収納する電力用セキュリティトラフの例が示されており、図８乃至図１４には電信用、すなわち比較的ケーブルの径が小径のものを内部に収納する電信用セキュリティトラフの例が示されている。
【００１１】
ここで、セキュリティトラフとは電力用ケーブルあるいは電信用ケーブルなどケーブル等の収納管路を指標するものであり、該ケーブル等の収納管路は、トラフ本体１と、このトラフ本体１の開口上面を塞ぐ蓋部材２とを有し、これらが長手方向に接続されて構成されるものとなる。
【００１２】
尚、ケーブル等の収納管路の形成に際しては、例えばトラフ本体１の長さが比較的長尺のものが使用され、そのトラフ本体１の上面に短尺の蓋部材２が数枚載置されて構成される場合が想定される。
【００１３】
しかし、上記のような実施例に限定されるものではなく、短尺のトラフ本体１に同様の長さの蓋部材２を載置して構成しても構わないものである（図５、図６、図１２、図１３参照）。
【００１４】
まず蓋部材２の構成につき説明する。蓋部材２は、収納管路用のトラフ本体１の上面を塞ぐよう例えば略方形状をなす板状部材として形成されている（図７、図１４参照）。
【００１５】
そして、この蓋部材２の幅方向両側端面側で、当該蓋部材２の長さ方向略中央箇所には、蓋部材２を収納管路用のトラフ本体１に固定すべく連結部材３、３が挿入可能とされた連結孔４、４が各々設けられている。
【００１６】
該連結孔４は図に示す様に、蓋部材２の上面に円盤状に切削された操作溝５が設けられ、該操作溝５の中心部からは蓋部材２の下面に向かい徐々に拡開して蓋部材２を貫通するよう形成された傾斜孔６が前記操作溝５に連通して形成されてなり、前記操作溝５と傾斜孔６とにより連結孔４は形成されている。
【００１７】
次に、断面略凹状をなす収納管路用のトラフ本体１の構成につき図１等を参照して説明する。
【００１８】
この収納管路用のトラフ本体１の材質については何ら限定されるものではないが、通常、コンクリート部材により形成される。ここで、セキュリティトラフは、その性質上、有害な傷やひび割れ、欠け、そりなどがあってはならない。よって所定の強度を有することが必要とされている。
【００１９】
トラフ本体１の両側壁７、７、特に両側壁７の内側面は図に示すように、内側に出っ張りを有する形状に構成されている。
【００２０】
しかしながら、両側壁７の外側面は略垂直面状に形成され、かつその外側面の表面はフラットな平面として形成される。これは、あらかじめ工場で製造された大量のトラフ本体１を施工現場まで運搬する運搬時の利便性、及び施工時の利便性などを考慮して創案されたことに他ならない。
【００２１】
すなわち、セキュリティトラフを構成するトラフ本体１の外面側は外側に出っ張らない様にフラットな面として構成することが、運搬時の利便性、施工時の簡便性が図れるからである。なぜなら外側の出っ張りがなければ、大量のトラフ本体１を運搬する際に隣り合うトラフ本体１同士を隙間を設けずに密着させて運ぶことが出来、従来のように、例えば側壁の上方外側部分に出っ張りが設けられ、該出っ張り同士が当接してトラフ本体１間に隙間が生じ、その分、運搬数量が限定されるとの不具合がないのである。なお、従来のこの外側出っ張り部分は、蓋部材の載置箇所を形成するために設けられていたものである。
【００２２】
また、施工時においても外側に出っ張りがあると、その出っ張りの部分まで施工現場で場所をとってしまう。特に掘削してセキュリティトラフを施工する際には、前記出っ張りの部分まで広く掘削しなければならずその分、セキュリティトラフの施工場所を確保しなければならないとの不具合があった。
【００２３】
しかしながら、セキュリティトラフの内側面に向かった出っ張りを設ければ、前記の様な不具合はなく、しかも、セキュリティトラフの耐久性を低下させることもない。さらに、収納するケーブルなどの収納効率を考慮してその内側出っ張り形状を自在に変化させて形成することも出来るとの利点もある。
【００２４】
符号８はトラフ本体１の底壁を示す。この底壁８は、外面側も内面側もフラットな面として構成され、厚みもすべて同じ厚みに構成してある。そして、底壁８の幅方向両端からは両側壁７、７が略垂直方向に向かって立設されている。
【００２５】
この両側壁７、７について内側面に出っ張った出っ張り形状につき説明する。
底壁８の幅方向両端と両側壁７、７との内側面の境部は略直角に折曲して形成されておらず、底壁８の幅方向両端側の内側面から両側壁７、７の内側面に向かいそれぞれ上り傾斜状をなす傾斜面９として形成されている。従って、底壁８と両側壁７、７との内側面境部は肉厚部として形成され、当該境部の強度強化が図られている。
【００２６】
尚、符号１０は水抜き穴用切り欠きであり、トラフ本体１の長手方向端面に略半円状の切り欠きとして設けられている。すなわちトラフ本体１を長手方向に接続する際の接続端面に略半円状の切り欠きとして設けられている。
【００２７】
そして、このトラフ本体１、１同士を接続したとき、接続したトラフ本体１、１のそれぞれの略半円状をなす水抜き穴用切り欠き１０、１０により略円筒状の水抜き穴がトラフ本体１の幅方向に形成されるものとなる。
【００２８】
次に、図から理解されるように、トラフ本体１の両側壁７、７の下端側及び上端側を除く大部分は同じ厚みを有する側壁として構成されている。
しかし、前述した様に側壁７の下端側の内側は断面三角形状をなす厚肉部として構成されている。
【００２９】
そして、両側壁７、７の内側面上端側は、各々内側に向かって膨らんだ膨出部１４として構成されている。
【００３０】
ここで、膨出部１４の詳細につき説明する。図から理解されるように、側壁７の下端から該側壁７における上端までの全体の長さにおいて、前記下端から、全体の長さの約６分の４の箇所から約６分の５の箇所に向けては内側に向かい傾斜した上り傾斜面１５として構成され、前記約６分の５の箇所での上り傾斜面１５の先端部分から側壁７の上端に向かっては略垂直に延びる面として構成され、その厚みは前述した側壁７の大部分の部分の厚みの約２倍の厚みになっている。
【００３１】
しかし、膨出部１４の上端面は段差部に形成されている。すなわち、上端面から側壁７の内側に向かっては上端面略幅方向中央位置から前記上端面より一段低くなった段差面が構成されているのである。そしてこの段差面は、蓋部材２の載置部１１となるのである。
【００３２】
ここで、この載置部１１には、上面に開口を有すると共に内部には垂下する取付穴を有し、該取付穴の下方には雌ねじ部を有するインサート１２が埋設されるものとなる。なお、該インサート１２は、通常セラミック部材で構成されているが、これに限定されるものではない。
【００３３】
しかして、図１から理解されるように、蓋部材２が前記載置部１１上に載置され、蓋部材２に設けられた連結孔４からボルト状の連結部材３を差し込む。ついで、連結部材３を捻ると、前記載置部１１に設けられたインサート１２の雌ねじ部に連結部材３の雄ねじ部が螺合して、蓋部材２をトラフ本体１に強固に取り付けることが出来る。この際、連結孔４の上面は、大きい溝径を有する操作溝５となっているため、連結部材３のボルト頭に嵌め込み、該ボルト頭を捻るねじり部材が入り込めるスペースが確保でき、回転操作ができる作業スペースとなる。
【００３４】
尚、通常、連結部材３は、ステンレス製で形成されているが、インサート１２は、セラミック製で形成されている。よって、連結部材３の焼き付きを生じさせることがない。また、連結部材３の雄ねじ部には緩み止め材（例えば水性タイプナイロン系）が塗布され、螺着後の緩み止めが図られている。
【００３５】
図に示すように、蓋部材２が取り付けられたトラフ本体１の内部空間は、その四隅部が厚肉部とされており、略円状になっている。この内部空間に収納されるケーブルは丸棒状であり、内部空間が四角状であると、四隅部に必要のない隙間が出来てしまう。そこで、前記四隅部を厚肉部にして内部空間を略円状にすれば、前記必要のない隙間を埋めると共に、トラフの耐久性を向上させることが出来るものとなる。
【００３６】
次に、符号１３はアンカー固定孔であり、トラフ本体１の底壁８に設けられる。図から理解出来るように、このアンカー固定孔１３はトラフ本体１の長手方向に向かい長く延びた長孔として構成されており、トラフ本体１を連結敷設した際の敷設誤差が吸収できるようになっている。このアンカー固定孔１３にアンカーが打ち込まれてトラフ本体１は固定されるものとなる。
【００３７】
尚、図３乃至図６及び１０乃至図１３において符号１６は、トラフ本体１の膨出部１４に設けられた縦水抜き用切り欠きであり、トラフ本体１が接続されてセキュリティトラフが形成されたとき、前記縦水抜き用切り欠き１６は円状の縦水抜き孔になる。この様な縦水抜き孔が形成されることにより、たとえ、載置部１１上に雨水などの水が溜まったとしても前記水は縦水抜き孔を通過してトラフ内に移動し、かつトラフ内に移動した水は、水抜き穴用切り欠き１０、１０により形成された略円筒状の水抜き穴から外部に送出され、前記載置部１１及び載置部１１に形成され連結孔４やインサート１２を破損させることがない。
【符号の説明】
【００３８】
１    トラフ本体
２    蓋部材
３    連結部材
４    連結孔
５    操作孔
６    傾斜孔
７    側壁
８    底壁
９    傾斜面
１０  水抜き穴用切り欠き
１１  載置部
１２  インサート
１３  アンカー固定孔
１４  膨出部
１５  上り傾斜面
１６  縦水抜き用切り欠き
【図１】
2019186998.tif 000003
【図２】
2019186998.tif 000004
【図３】
2019186998.tif 000005
【図４】
2019186998.tif 000006
【図５】
2019186998.tif 000007
【図６】
2019186998.tif 000008
【図７】
2019186998.tif 000009
【図８】
2019186998.tif 000010
【図９】
2019186998.tif 000011
【図１０】
2019186998.tif 000012
【図１１】
2019186998.tif 000013
【図１２】
2019186998.tif 000014
【図１３】
2019186998.tif 000015
【図１４】
2019186998.tif 000016